(57)【要約】    【課題】  タグが収納されたタグカートリッジ付きの係止片取付機を提供すること。【解決手段】  取付機本体２に対し着脱自在に設けられたタグカートリッジ２０を備える。  そして、取付機本体の前端部に横溝３７が形成された第１の中空針３ａと、第１の中空針との間に形成された隙間部４により隔てられた後端部に横溝が形成された第２の中空針３ｂと、第２の中空針に係止片集合体５０を案内する案内溝と、係止片５１を第２の中空針に対し間欠的に供給する送り手段３６と、第２および第１の中空針を挿通して係止片を押し出す押し棒３５と、押し棒と送り手段を作動させるレバー３２と、を備える。そして、取付機本体に装着したタグカートリッジより隙間部にタグを供給して係止孔を第１及び第２の中空針の直線上に位置決めするとともに、レバーを作動して第２の中空針、タグの係止孔、および第１の中空針を挿通して係止片をタグＴに取り付ける。【選択図】        図１
2010173651.tif 000002
【特許請求の範囲】
【請求項１】
取付機本体と、
係止孔が形成されたタグを複数枚収納し、かつ、前記タグを前記取付機本体に供給するタグ供給手段を備えるとともに、前記取付機本体に対し着脱自在に設けられたタグカートリッジと、を備えたタグカートリッジ付きの係止片取付機であって、
前記取付機本体の前端部に設けた、横溝が形成された第１の中空針と、
この第１の中空針との間に形成された隙間部により隔てられた後端部に設けた、横溝が形成された第２の中空針と、
この第２の中空針に対し線状の係止片が連結された係止片集合体を案内する案内溝と、
この案内溝に沿って係止片集合体の係止片を前記第２の中空針に対し間欠的に供給する送り手段と、
前記第２および第１の中空針を挿通して前記係止片を押し出す押し棒と、
この押し棒と前記送り手段を作動させるレバーと、を備え、
前記取付機本体に装着したタグカートリッジより前記隙間部に前記タグ供給手段を用いてタグを供給し係止孔を前記第１及び第２の中空針の直線上に位置決めするとともに、前記レバーを作動して前記第２の中空針、タグの係止孔、および第１の中空針を挿通して前記係止片をタグに取り付けることを特徴とする係止片取付機。
【請求項２】
前記タグカートリッジは、一端部にタグ供給手段を備え、他端部に付勢部材および押圧板より成る押圧手段を備え、かつ、前記タグ供給手段および押圧手段の間に複数枚のタグを収納可能なタグ収納部が形成されるとともに、前記タグ収納部に収納されたタグを、前記付勢部材を介した押圧板の付勢力によってタグ供給手段側に常時付勢することを特徴とする請求項１に記載の係止片取付機。
【請求項３】
前記取付機本体の上面部には、タグカートリッジに収納しているタグを表示可能なタグ表示部が形成されていることを特徴とする請求項１または２に記載の係止片取付機。
【請求項４】
取付機本体と、
係止孔が形成されたタグを複数枚収納し、前記取付機本体に対し着脱自在に設けられたタグカートリッジと、を備えたタグカートリッジ付きの係止片取付機であって、
前記取付機本体の前端部に設けたタグ供給手段と、
前記取付機本体の前端部に設けた、横溝が形成された第１の中空針と、
この第１の中空針との間に形成された隙間部により隔てられた後端部に設けた、横溝が形成された第２の中空針と、
この第２の中空針に対し線状の係止片が連結された係止片集合体を案内する案内溝と、
この案内溝に沿って係止片集合体の係止片を前記第２の中空針に対し間欠的に供給する送り手段と、
前記第２および第１の中空針を挿通して前記係止片を押し出す押し棒と、
この押し棒と前記送り手段を作動させるレバーと、を備え、
前記取付機本体に装着したタグカートリッジより前記隙間部に前記タグ供給手段を用いてタグを供給して係止孔を前記第１及び第２の中空針の直線上に位置決めするとともに、前記レバーを作動して前記第２の中空針、タグの係止孔、および第１の中空針を挿通して前記係止片をタグに取り付けることを特徴とする係止片取付機。
【発明の詳細な説明】
【技術分野】
【０００１】
本発明は、特に、タグが収納されたタグカートリッジよりタグを供給して係止片を介してタグを衣類などの商品に取り付ける、タグカートリッジ付きの係止片取付機に関する。
【背景技術】
【０００２】
従来、タグと称する下札・値札を商品に取り付けるに際し、合成樹脂製の線状の係止片が連結された係止片集合体を用いた係止片取付装置が知られている（例えば、特許文献１参照）。
図４ないし図８に基づき、従来の係止片取付装置（係止片取付機）を説明する。
図６は、係止片取付装置の概略側面説明図、図７は、図６中、矢示ＶＩＩ方向より見た概略平面説明図、図８は、タグ（値札）の一例を示す説明図である。
先ず、図８に基づきタグを説明すると、タグＴには、取付け・表示する対象商品の品名などの情報（図示の例では、「サービス品」、「Ｙシャツ」、「サイズＭ」、「￥９８０．−」）がプレ印刷または印字されており、係止孔Ｈが形成されている。
次に、図６および図７に基づき係止片取付装置（係止片取付機）を説明すると、係止片取付装置３０は、主に、ピストル型をした本体（取付機本体）３１と、この本体３１に軸支されたレバー３２と、中空針３３と、案内溝３４と、押し棒３５と、後述の係止片集合体５０の「送り手段」としての係止爪３６と、握り部３８などを備えており、前記本体３１の案内溝３４に対し、線状の係止片５１が連結された係止片集合体５０を装着するようになっている。
中空針３３には、横溝３７が形成されており、この横溝３７に沿って前記係止片集合体５０の連結棒５２が通過するようになっている。
そして、中空針３３の先端部３３ａにタグＴ（図６および図７において、想像線にて図示）の係止孔Ｈを挿入・装着し、握り部３８を持って係止片取付装置３０を支え先端部３３ａを図示省略の商品に押し当ててレバー３２を引くと、図示省略のスプリングなどを介して押し棒３５や係止爪３６が作動してタグＴを商品（図示省略）に係止・取付けるようになっている。すなわち、案内溝３４に装着された係止片集合体５０が、レバー３２の作動に連動して作動する係止爪３６の回転により中空針３３側に押し付けられるとともに、押し棒３５が中空針３３内に挿入され係止片５１を摺動するものであり、このとき係止片５１は、連結棒５２が横溝３７に沿って送られることにより先端部３３ａ側へと摺動される。先端部３３ａより飛び出した係止片５１は、一端部が商品（図示省略）に係止されるとともに、他端部がタグＴの係止孔Ｈのサイズ（直径）より大きく形成されており、タグＴを引っ掛けることができるため、以て係止片５１を介してタグＴを図示省略の商品に取付け・表示できるものである。
ところで、上述したように、係止片取付装置３０を使って商品（図示省略）にタグＴを取付け・表示する際、中空針３３の先端部３３ａにタグＴの係止孔Ｈを挿入するため、１枚ずつしか装着できず、かつ、タグＴを指で摘むので装着しにくい上、手間が掛かるという問題があった。
また、店頭に展示されている図示省略の商品と、上述したタグＴ（図８参照）を印字・発行するプリンタ（図示省略）とは別の離れた場所に設置されていることが多く、印字・発行したタグＴは、係止片取付装置３０を扱う者が店頭の対象商品（図示省略）までバラの状態で持ち運ぶ必要があるため扱いにくく、場合によっては紛失の虞があるという問題があった。
【先行技術文献】
【特許文献】
【０００３】
【特許文献１】特公昭６１−１２８１６号公報
【発明の概要】
【発明が解決しようとする課題】
【０００４】
本発明は、上記の問題点に着目して成されたものであり、タグが収納されたタグカートリッジ付きの係止片取付機を提供することを課題とする。
【課題を解決するための手段】
【０００５】
本発明に係る係止片取付機は、取付機本体と、係止孔が形成されたタグを複数枚収納し、かつ、前記タグを前記取付機本体に供給するタグ供給手段を備えるとともに、前記取付機本体に対し着脱自在に設けられたタグカートリッジと、を備えたタグカートリッジ付きの係止片取付機であって、前記取付機本体の前端部に設けた、横溝が形成された第１の中空針と、この第１の中空針との間に形成された隙間部により隔てられた後端部に設けた、横溝が形成された第２の中空針と、この第２の中空針に対し線状の係止片が連結された係止片集合体を案内する案内溝と、この案内溝に沿って係止片集合体の係止片を前記第２の中空針に対し間欠的に供給する送り手段と、前記第２および第１の中空針を挿通して前記係止片を押し出す押し棒と、この押し棒と前記送り手段を作動させるレバーと、を備え、前記取付機本体に装着したタグカートリッジより前記隙間部に前記タグ供給手段を用いてタグを供給し係止孔を前記第１及び第２の中空針の直線上に位置決めするとともに、前記レバーを作動して前記第２の中空針、タグの係止孔、および第１の中空針を挿通して前記係止片をタグに取り付けることを特徴とする。
また、タグカートリッジは、一端部にタグ供給手段を備え、他端部に付勢部材および押圧板より成る押圧手段を備え、かつ、タグ供給手段および押圧手段の間に複数枚のタグを収納可能なタグ収納部が形成されるとともに、タグ収納部に収納されたタグを、付勢部材を介した押圧板の付勢力によってタグ供給手段側に常時付勢するようにできる。
また、取付機本体の上面部には、タグカートリッジに収納しているタグを表示可能なタグ表示部が形成されるようにできる。
また、第２の発明に係る係止片取付機は、取付機本体と、係止孔が形成されたタグを複数枚収納し、前記取付機本体に対し着脱自在に設けられたタグカートリッジと、を備えたタグカートリッジ付きの係止片取付機であって、前記取付機本体の前端部に設けたタグ供給手段と、前記取付機本体の前端部に設けた、横溝が形成された第１の中空針と、この第１の中空針との間に形成された隙間部により隔てられた後端部に設けた、横溝が形成された第２の中空針と、この第２の中空針に対し線状の係止片が連結された係止片集合体を案内する案内溝と、この案内溝に沿って係止片集合体の係止片を前記第２の中空針に対し間欠的に供給する送り手段と、前記第２および第１の中空針を挿通して前記係止片を押し出す押し棒と、この押し棒と前記送り手段を作動させるレバーと、を備え、前記取付機本体に装着したタグカートリッジより前記隙間部に前記タグ供給手段を用いてタグを供給して係止孔を前記第１及び第２の中空針の直線上に位置決めするとともに、前記レバーを作動して前記第２の中空針、タグの係止孔、および第１の中空針を挿通して前記係止片をタグに取り付けることを特徴とする。
【発明の効果】
【０００６】
本発明の係止片取付機は、取付機本体に装着したタグカートリッジより隙間部にタグカートリッジに設けたタグ供給手段を用いてタグを供給し、係止孔を第１及び第２の中空針の直線上に位置決めするとともに、レバーを作動して係止片をタグに取り付けるようにしたので、タグを指で摘んで１枚ずつ中空針に挿通・装着する必要がないため、タグの装着が容易であり、かつ、バラバラになりにくいので扱いが容易であり、さらに、複数のタグをタグカートリッジより供給できるので、作業の短縮化が図れるという効果がある。
また、一端部にタグ供給手段を備え、他端部に付勢部材および押圧板より成る押圧手段を備え、かつ、収納部に収納されたタグを、付勢部材を介した押圧板の付勢力によってタグ供給手段側に常時付勢するようなタグカートリッジを設ければ、複数枚のタグの収納が可能で、以て取付機本体に対するタグの供給が容易となるので、タグの取付け作業の効率化が図れるようになる。
また、取付機本体の上面部に、カートリッジに収納しているタグを表示可能なタグ表示部が形成されるようにすれば、タグカートリッジ内に収納されている、商品に係止中のタグの内容が判別可能なため、違った商品に対するタグの取付けが防止できるようになる。
また、他の発明に係る係止片取付機は、取付機本体の前端部に設けたタグ供給手段を用いてタグを供給し、係止孔を第１及び第２の中空針の直線上に位置決めするとともに、レバーを作動して係止片をタグに取り付けるようにしたので、種類の異なるタグの規格に見合うそれぞれのタグカートリッジにタグ供給手段を設ける必要がなくなる分、安価に作製できるという効果がある。
【図面の簡単な説明】
【０００７】
【図１】本発明に係る係止片取付機の一実施の形態を示す一部破断の概略側面説明図である。
【図２】同、図１中、矢示ＩＩ方向より見た概略平面説明図である。
【図３】同、タグカートリッジの概略斜視説明図である。
【図４】本発明に係る係止片取付機の他の実施の形態を示す一部破断の概略側面説明図である。
【図５】同、タグカートリッジの概略斜視説明図である。
【図６】従来の係止片取付機を示す概略側面説明図である。
【図７】同、図６中、矢示ＶＩＩ方向より見た概略平面説明図である。
【図８】同、係止片取付機で使用するタグの一例を示す説明図である。
【発明を実施するための形態】
【０００８】
以下、本発明の一実施の形態につき、図１ないし図３に基づいて説明する。
なお、以下において、従来（背景技術）と同様の部分には同一符号を付すに止め、詳説を省略する。
図１は、本発明に係る係止片取付機を示す一部破断の概略側面説明図、図２は、図１中、矢示ＩＩ方向より見た概略平面説明図、図３は、タグカートリッジの概略斜視説明図である。
係止片取付機１は、主に、取付機本体２と、この取付機本体２に対し着脱自在に設けられたタグカートリッジ２０により構成される。
【０００９】
先ず、主に、図３に基づき、タグカートリッジ２０を説明すると、タグカートリッジ２０は、上方を開放端とした長方型を呈したケーシング２１を備え、このケーシング２１の短辺の一端部（同図における左側端部）には、透孔２７が形成されるとともに、この透孔２７において「タグ供給手段」としてのローラ体２２が回転自在に設けられ、また、他端部には、「付勢部材」としてのスプリング２３が設けられており、このスプリング２３の先端部（ケーシング２１の内側）には、押圧板２４が設けられている。前記押圧板２４はスプリング２３を介して常時、ローラ体２２側に付勢されており、前記スプリング２３と押圧板２４とにより、「押圧手段」が構成されている。
ローラ体２２は、前記透孔２７よりケーシング２１内に一部が突出した状態で一端部側において回転自在に支持されており、ゴムあるいは柔らかい合成樹脂、もしくはプラスチックなどの摩擦抵抗の大きな素材で作製されている。
また、ケーシング２１の前記ローラ体２２と押圧板２４の間には、複数枚のタグＴが収納可能なタグ収納部２５が形成される。すなわち、スプリング２３の付勢力に抗して押圧板２４をローラ体２２から離反する方向に広げ、ローラ体２２と押圧板２４との間にタグＴを重ねて挿入するものであり、タグ収納部２５に重ねられて収納されたタグＴは、スプリング２３を介した押圧板２４の付勢力でローラ体２２側に常時、付勢されるようになっている。
また、ケーシング２１の長辺のローラ体２２側の一部には、切欠き部２６が形成されている。
【００１０】
次ぎに、主に、図１および図２に基づき、取付機本体２を説明する。
なお、図１は、説明の都合上、取付機本体２に装着した前記タグカートリッジ２０の一部を断面としてある。
取付機本体２は、主に、この取付機本体２に軸支されたレバー３２と、中空針３と、隙間部４と、案内溝３４と、押し棒３５と、係止片集合体５０の「送り手段」としての係止爪３６と、握り部３８と、タグ表示部５などを備えている。
レバー３２は、図示省略のスプリングなどを介して押し棒３５および係止爪３６と連動しており、このレバー３２を引くと押し棒３５は前方の中空針３側へ、また、係止爪３６は図１における下方へ回転するようになっている。
中空針３は、前端部側の第１の中空針３ａと、後端部側の第２の中空針３ｂとから構成され、第１および第２の中空針３ａ、３ｂの間には、隙間部４が形成されている。また、第１および第２の中空針３ａ、３ｂには横溝３７が直線状態に形成されており、この横溝３７に沿って係止片集合体５０の連結棒５２が通過するようになっている。
隙間部４は、前記タグカートリッジ２０よりタグＴが１枚供給される空間であり、ほぼタグＴの厚み分の距離Ｄ、隔てられるとともに、図１における上端面は、ストッパ面４ａとされる。すなわち、タグＴが隙間部４に供給されストッパ面４ａに当接して供給が停止されるようになっており、ストッパ面４ａにてタグＴの供給が停止したとき、タグＴの係止孔Ｈが前記第１および第２の中空針３ａ、３ｂの直線上に位置決めされるようになっている。
案内溝３４は前記第２の中空針３ｂに連通しており、線状の係止片５１が連結された係止片集合体５０を装着するようになっている。
押し棒３５は、レバー３２の作動により図示省略のスプリングなどを介して進退動するようになっており、握り部３８を手で支えて引き絞ると押し棒３５は、前記第２および第１の中空針３ｂ、３ａの内部に進出するようになっている。また、レバー３２の引き絞りを解除すると図示省略のスプリングなどを介して押し棒３５は、中空針３ａ、３ｂより退動するようになっている。
係止爪３６は、押し棒３５と同様、レバー３２の作動（引き絞り）に連動し図示省略のスプリングなどを介して下方に回転し、案内溝３４に装着された係止片集合体５０を第２の中空針３ｂに押し付けるようになっている。
また、主に、図２に示すように、タグ表示部５は、取付機本体２の上面部に設けられており、透明なビニールあるいはプラスチックなどで袋状に作製されており、タグＴを収納・表示できるようになっている。
なお、取付機本体２とタグカートリッジ２０は、一方（取付機本体２）に設けた図示省略の第１の係合部としての凹部または凸部、他方に設けた図示省略の第２の係合部としての凸部または凹部の、第１および第２の係合部の係脱により着脱自在とされている。
【００１１】
次ぎに、図１ないし図３を用いて係止片取付機１によるタグＴの係止につき説明する。
主に、図３に示すように、タグカートリッジ２０の押圧板２４をローラ体２２から離反する方向に広げることにより形成されたタグ収納部２５にタグＴを揃えて収納し、図示省略の第１および第２の係合部を係合して取付機本体２に対しタグカートリッジ２０を装着する。このとき、タグ収納部２５に収納したタグＴと同じ内容が印字されたタグＴをタグ表示部５に収納して表示する。タグ収納部２５に収納したタグＴ、すなわち、これから商品（図示省略）に係止しようとするタグＴをタグ表示部２５に表示することにより、対象商品が明確となる。
また、取付機本体２の案内溝３４に、線状の係止片５１が連結された係止片集合体５０を装着する。
次いで、タグカートリッジ２０前方（図１における左側端部）のローラ体２２を矢示Ａ方向に指で回転すると、タグ収納部２５においてスプリング２３を介した押圧板２４の付勢力でローラ体２２側に付勢されているタグＴが隙間部４へ供給され、ストッパ面４ａに当接して供給を停止する。タグＴがストッパ面４ａに当接した状態で、タグＴの係止孔Ｈは第１および第２の中空針３ａ、３ｂの直線上に位置決めされる。
さらに、握り部３８を手で支え、図示省略の商品に中空針３の先端部を押し当て、レバー３２を引き絞るとレバー３２の作動（引き絞り）に連動し、図示省略のスプリングなどを介して係止爪３６が案内溝３４に装着された係止片集合体５０を第２の中空針３ｂに押し付けるとともに、押し棒３５が第２の中空針３ｂ内部に進出して係止片５１を第１の中空針３ａ側に摺動するものであり、係止片５１の一端部が第２の中空針３ｂから第１の中空針３ａへと摺動される際、隙間部４に位置決めされたタグＴの係止孔Ｈに挿通される。なお、係止片５１が中空針３を摺動される際、係止片５１の連結棒５２が、中空針３の横溝３７から横に飛び出した状態で横溝３７に沿って先端部（図１における左端部）側に送られる。
引き続きレバー３２を絞ると第１の中空針３ａより係止片５１の一端部が飛び出して商品（図示省略）に係止される。
握り部３８で支えている取付機本体２を右側（図２における上部側）にスライドすると、商品（図示省略）に一端部が係止・固定されている係止片５１は動かないため、引張られた状態で第１の中空針３ａの横溝３７から係止片５１の連結棒５２が引出され、かつ、隙間部４において係止孔Ｈに係止片５１が挿通されたタグＴはタグカートリッジ２０の切欠き部２６より引出され、さらに、第２の中空針３ｂの途中で横溝３７に留まっている連結棒５２が引出される。
係止片５１が取付機本体２より機外へ引出されると、タグＴの係止孔Ｈより大きく形成されている連結棒５２の他端部がタグＴを支えるため、一端部が商品（図示省略）に係止された状態でタグＴは取付け・表示されるものである。
【００１２】
上述したように、取付機本体２に対し図示省略の第１および第２の係合部を介して装着したタグカートリッジ２０よりローラ体２２を回転して隙間部４にタグＴを供給し、ストッパ面４ａに当接させて係止孔Ｈを第１及び第２の中空針３ａ、３ｂの直線上に位置決めするとともに、レバー３２を作動して第２の中空針３ｂ、タグＴの係止孔Ｈ、および第１の中空針３ａを挿通して係止片５１をタグＴに取り付けるようにしたので、タグＴを指で摘んで１枚ずつ中空針３に挿通・装着していた従来に比し、タグＴの装着が容易であり、かつ、バラバラになりにくいので扱いが容易である。
【００１３】
次に、主に、図４および図５に基づき、第２の発明の一実施の形態につき説明する。
なお、以下において、従来（背景技術）および先の実施の形態と同様の部分には同一符号を付すに止め、詳説を省略する。
図４は、第２の発明に係る係止片取付機を示す一部破断の概略側面説明図、図５は、タグカートリッジの概略斜視説明図である。
係止片取付機４１は、主に、取付機本体４２と、この取付機本体４２に対し着脱自在に設けられたタグカートリッジ６０により構成される。
【００１４】
先ず、図５に基づき、タグカートリッジ６０を説明すると、タグカートリッジ６０は、先のタグＴよりサイズの長いタグＴ２を収納するための「カートリッジ」であって、上方を開放端とした長方型を呈したケーシング６１を備え、このケーシング６１の短辺の一端部６１ａ（同図における左側端部）には、後述する「タグ供給手段」用の切欠き部６２が形成されている。この切欠き部６２は、前端部側（矢示Ｆ方向）より見た左側の長辺より右側の長辺へ向けて幅方向（矢示Ｗ方向）における３分の２ほどの長さ分、一部を切欠いて形成してある。また、他端部には「付勢部材」としてのスプリング２３が設けられており、このスプリング２３の先端部（ケーシング６１の内側）には、押圧板２４が設けられている。前記押圧板２４はスプリング２３を介して常時、切欠き部６２が形成された一端部６１ａ側に付勢されている。
また、ケーシング６１の前記切欠き部６２が形成された一端部６１ａと押圧板２４との間には、タグ収納部６３が形成され、ここにタグＴ２を収納する。タグ収納部６３に重ねられて収納されたタグＴ２は、スプリング２３を介した押圧板２４の付勢力で一端部６１ａ側に常時、付勢されるようになっている。
また、ケーシング６１の長辺の、「タグ供給手段」用の前記切欠き部６２が形成された一端部６１ａ側の一部には、タグＴ２引き出し用の切欠き部６４が形成されている。
【００１５】
次に、主に、図４に基づき、取付機本体４２を説明する。
なお、同図においては、説明の都合上、取付機本体４２および前記タグカートリッジ６０の一部を断面としてある。
取付機本体４２は、主に、この取付機本体４２に軸支されたレバー３２と、中空針３と、隙間部４と、案内溝３４と、押し棒３５と、係止片集合体５０の「送り手段」としての係止爪３６と、握り部３８と、「タグ供給手段」としてのローラ体２２などを備えている。
ローラ体２２は、取付機本体４２の前端部４２ａ（同図における左側端部）に回転自在に設けられている。また、ローラ体２２が設けられた前端部４２ａには段差４３が形成されており、この段差４３は、ほぼ前記ケーシング６１の一端部６１ａの厚さｄとされている。
上記係止片取付機４１にて、タグＴ２を取付けるには、先ず、タグカートリッジ６０の押圧板２４を一端部６１ａより離反する方向に広げることにより形成されたタグ収納部６３にタグＴ２を収納し、取付機本体４２の側面（図４における手前側）より前記段差４３に沿ってタグカートリッジ６０を滑らせ、図示省略の第１および第２の係合部を係合して取付機本体４２に対しタグカートリッジ２０を装着する。カートリッジ６０の装着時、ケーシング６１の一端部６１ａに切欠き部６２が形成されているため、取付機本体４２の前端部４２ａに設けられているローラ体２２と接触せずに装着できる。
そして、取付機本体４２の案内溝３４に、係止片集合体５０を装着した上で、取付機本体４２の前端部４２ａのローラ体２２を矢示Ａ方向に回転し、タグカートリッジ６０に収納されているタグＴ２を隙間部４へ供給する。ローラ体２２は、タグＴ２がストッパ面４ａに当接するまで回転する。タグＴ２がストッパ面４ａに当接した状態で、タグＴの係止孔Ｈは第１および第２の中空針３ａ、３ｂの直線上に位置決めされるものである。
さらに、握り部３８を手で支え、図示省略の商品に中空針３の先端部を押し当て、レバー３２を引き絞るとレバー３２の作動（引き絞り）に連動し、係止爪３６が案内溝３４に装着された係止片集合体５０を第２の中空針３ｂに押し付けるとともに、押し棒３５が第２の中空針３ｂ内部に進出して係止片５１を第１の中空針３ａ側に摺動され、隙間部４に位置決めされたタグＴの係止孔Ｈに挿通され、引き続きレバー３２を絞ると第１の中空針３ａより係止片５１の一端部が飛び出して商品（図示省略）に係止されるものである。そして、握り部３８で支えている取付機本体４２を右側にスライドすると、隙間部４において係止孔Ｈに係止片５１が挿通されたタグＴ２はタグカートリッジ６０の切欠き部６４より引出されるものである。
【００１６】
上述したように、「タグ供給手段」としてのローラ体２２を取付機本体４２の前端部４２ａに設けたことにより、「タグ」の規格に見合うそれぞれのサイズの「タグカートリッジ」にローラ体２２を設ける必要がなくなる分、安価になるものである。
その他の構成、作用、効果については、先の実施の形態とほぼ同様につき、詳説を省略する。
【００１７】
なお、上記実施の形態の構成及び動作は例であって、本発明の趣旨を逸脱しない範囲で適宜変更することができることは言うまでもない。
【符号の説明】
【００１８】
Ｔ    タグ
Ｈ    係止孔
Ｄ    隙間部４の距離
１    係止片取付機（第１の実施の形態）
２    取付機本体
３    中空針
３ａ  先端部
３ｂ  後端部
４    隙間部
４ａ  ストッパ部
５    タグ表示部
２０  タグカートリッジ
２１  ケーシング
２２  タグ供給手段（ローラ体）
２３  スプリング
２４  押圧板
２５  タグ収納部
２６  切欠き部
２７  透孔
３０  係止片取付装置（従来）
３１  本体
３２  レバー
３３  中空針
３３ａ  先端部
３４  案内溝
３５  押し棒
３６  係止爪
３７  横溝
３８  握り部
４１  係止片取付機（第２の実施の形態）
４２  取付機本体
４２ａ  前端部
４３  段差
５０  係止片集合体
５１  係止片
５２  連結棒
６０  タグカートリッジ
６１  ケーシング
６１ａ  一端部
６２  切欠き部
６３  タグ収納部
６４  切欠き部
【図１】
2010173651.tif 000003
【図２】
2010173651.tif 000004
【図３】
2010173651.tif 000005
【図４】
2010173651.tif 000006
【図５】
2010173651.tif 000007
【図６】
2010173651.tif 000008
【図７】
2010173651.tif 000009
【図８】
2010173651.tif 000010